(57)【要約】      （修正有）【課題】  電動丸鋸を用いて木材の加工をする場合の丸鋸刃の揺れ防止、安定した直線挽き、切断面のめくり上がり防止、加工精度及び寸法精度の向上と各種電動丸鋸に対応可能な経済性と利便性並びに作業の簡素化、作業効率の向上を兼ね備えた、電動丸鋸用の直線挽き治具を提供する。【解決手段】  本体基盤２に、位置決めガイド定規位置合わせ目盛７記し位置決めガイド定規スライド溝６を設け、電動丸鋸スライド用ガイド溝１３を設けた位置決めガイド定規３を位置決めガイド定規調整ナット５及び位置決めガイド定規調整ボルト９を用いを位置決めガイド定規スライド溝６に挟み込み、本体基盤２側面に設けた丸鋸刃ガイド板固定溝１１に交換可能とした丸鋸刃ガイド板４を装着し、本発明の電動丸鋸用直線挽き治具連結の為の連結用角棒挿入溝８を設け、電動丸鋸スライド用ガイドレール１４の取り付けを可能とした。【選択図】  図１
2005343160.tif 000002
【特許請求の範囲】
【請求項１】
本体基盤（２）に位置決めガイド定規位置合わせ目盛（７）記した位置決めガイド定規スライド溝（６）を設け、その溝に電動丸鋸スライド用ガイド溝（１３）を設けた位置決めガイド定規（３）を、位置決めガイド定規調整ナット（５）及び位置決めガイド定規調整ボルト（９）を用い挟み込み、本体基盤（２）側面に設けた丸鋸刃ガイド板固定溝（１１）に交換可能とした丸鋸刃ガイド板（４）を装着し、本発明の電動丸鋸用直線挽き治具連結の為の連結用角棒挿入溝（８）を設け、電動丸鋸スライド用ガイドレール（１４）の取り付けを可能としたことを特徴とする電動丸鋸用直線挽き治具（１）。
【発明の詳細な説明】
【発明の詳細な説明】
【技術分野】
【０００１】  この発明は、電動丸鋸を使用して木材を直線に挽く加工を正確に行うとともに加工精度及び寸法精度の並びに作業効率の向上を目的とした電動丸鋸用直線挽き治具に関するものである。
【背景技術】
【０００２】  従来の電動丸鋸用直線挽きは、切断する木板に糸を利用し墨付けをし、その線上に沿って電動丸鋸の刃を移動させるか、切断する木板上に補助定規をおいてその側面に電動丸鋸の台座側面をあて木材の加工をしていた。
【発明が解決使用とする課題】
【０００３】  これはつぎのような欠点があった。
電動丸鋸はモーターの回転を利用する為に木板を直線に挽こうとすると、最初に木板に丸鋸の回転刃があたるとその回転揺れによって切断面の端がめくれ上がる状態となり加工精度及び寸法精度が悪くなるとともに、モーターの振動及び丸鋸刃の揺れの為に直線を保ち挽くには高度の熟練と技術を要した。
また、補助定規を利用した場合は、その補助定規側面に沿わせて電動丸鋸を移動しながら木板を挽くが電動丸鋸の横振れを防ぐ為に、挽く木板面に補助定規を固定する方法があるがそのつど取り外さなければならない事から作業効率の低下をまねくとともに製造会社によって電動丸鋸の丸鋸刃から台座側面までの寸法が違う為にそのつど補助定規の位置を変える必要があった。
【課題を解決するための手段】
【０００４】  以下、本発明の実施の形態について説明する。
金属或いは木材を材料とした本体基盤（２）に位置決めガイド定規位置合わせ目盛（７）記し位置決めガイド定規スライド溝（６）を設け、図２断面図に有るよう電動丸鋸スライド用ガイド溝（１３）に位置決めガイド定規（３）を位置決めガイド定規調整ナット（５）及び位置決めガイド定規調整ボルト（９）を用いを位置決めガイド定規スライド溝（６）に挟み込み、本体基盤（２）側面に設けた丸鋸刃ガイド板固定溝（１１）に交換可能とした丸鋸刃ガイド板（４）を装着し、本発明の電動丸鋸用直線挽き治具連結の為の連結用角棒挿入溝（８）を設けた。
本発明は以上の構成によりなる電動丸鋸用直線挽きのための治具である。
【発明を実施するための最良の形態】
【０００５】  本発明は、上記した従来技術の問題点を解決するために、本体基盤（２）に位置決めガイド定規位置合わせ目盛（７）記し位置決めガイド定規スライド（６）を設け、その溝に電動丸鋸スライド用ガイド溝（１３）を設けた位置決めガイド定規（３）を位置決めガイド定規調整ナット（５）及び位置決めガイド定規調整ボルト（９）を用い位置決めガイド定規調整ナット（５）を回転させ締め付け或いは緩まる事により溝の範囲内にて任意の位置にて移動並びに固定を可能とし、本体基盤（２）側面に設けた丸鋸刃ガイド板固定溝（１１）に寸法精度及び加工精度向上の為に交換可能とした木製の丸鋸刃ガイド板（４）を装着し、長尺の加工材料にも利用可能とするために本発明の電動丸鋸用直線挽き治具（１）を連結する為の連結用角棒挿入溝（８）を設け、その溝に連結用角棒（１２）を装着し固定可能とした。
本発明は、以上のような構造でこれを使用するときは、電動丸鋸（Ａ）の丸鋸刃（Ｂ）の丸鋸刃ガイド板あたり面（Ｂ１）から電動丸鋸固定台座（Ｃ）にある位置決めガイド定規あたり面（Ｃ１）までの寸法を計測し、位置決めガイド定規（３）を位置決めガイド定規調整ナット（５）を緩めた状態で位置決めガイド定規位置合わせ目盛り（７）を利用し計測した位置まで移動し調整ナットを締め付ける事により緩み止めワッシャー（１０）介して一定間隔に位置決めガイド定規（３）を固定する。
上記調整が完了した電動丸鋸用直線挽き治具（１）は、加工材料（Ｄ）上面の墨付け位置に丸鋸刃ガイド板（４）側面を合わせ、電動丸鋸（Ａ）を電動丸鋸用直線挽き治具（１）に置き、図５使用略図に記すように電動丸鋸（Ａ）の位置決めガイド定規あたり面（Ｃ１）を位置決めガイド定規（３）側面に沿わせて電動丸鋸（Ａ）を移動させるだけで正確にかつ迅速に材料を加工する事が可能とな
さらに、作業効率及び寸法精度を高める手段として、電動丸鋸固定台座（Ｃ）に位置する位置決めガイド定規あたり面（Ｃ１）に位置決めガイド定規（３）に設けた電動丸鋸スライド用ガイド溝（１３）嵌め込み用の取り外し自在の電動丸鋸スライド用ガイドレール（１４）をガイドレール取り付けナット（１５）及びガイドレール取り付けボルト（１６）持って取り付ける。
【発明の効果】
【０００６】  以上述べたように本発明によれば、電動丸鋸用直線挽き治具（１）上で電動丸鋸（Ａ）を移動するだけで丸鋸刃ガイド板（４）に接触している丸鋸刃（Ｂ）が安定した状態で移動することから、切断面の端がめくれ上がることなく加工精度及び寸法精度が向上するとともに、木材を使用した丸鋸刃ガイド板（４）は、交換可能としたことにより直線挽くだけでなく加工材料（Ｄ）に角度を付けて切断しても丸鋸刃ガイド板（４）を簡単に付け変えることが出来る。
位置決めガイド定規（３）及び丸鋸刃ガイド板（４）を設けたことにより、どんな寸法の電動丸鋸（Ａ）にも適用可能となり、経済性及び利便性の向上とともに、高度の熟練と技術を要さずに正確かつ迅速に材料の加工作業を行うことが出来る。
さらに、位置決めガイド定規（３）に設けた電動丸鋸スライド用ガイド溝（１３）に電動丸鋸スライド用ガイドレール（１４）を嵌め込み、電動丸鋸（Ａ）を移動させる事により、より作業効率及び寸法精度を高める事が可能となる。
【図面の簡単な説明】
【図１】        本発明の斜視図である。
【図２】        本発明のＩＩＩーＩＩＩ線断面図である。
【図３】        本発明の丸鋸刃ガイド板取り付け略図である。
【図４】        本発明の電動丸鋸用直線挽き治具連結略図である。
【図５】        本発明の使用略図である。
【図６】        電動丸鋸スライド用ガイドレール取り付け図
【図７】        電動丸鋸スライド用ガイドレール取り付け部分断面図
【符号の説明】
１    電動丸鋸用直線挽き治具
２    本体基盤
３    位置決めガイド定規
４    丸鋸刃ガイド板
５    位置決めガイド定規調整ナット
６    位置決めガイド定規スライド溝
７    位置決めガイド定規位置合わせ目盛
８    連結用角棒挿入溝
９    位置決めガイド定規調整ボルト
１０    緩み止め用ワッシャー
１１    丸鋸刃ガイド板固定溝
１２    連結用角棒
１３    電動丸鋸スライド用ガイド溝
１４    電動丸鋸スライド用ガイドレール
１５    ガイドレール取り付けナット
１６    ガイドレール取り付けボルト
Ａ    電動丸鋸
Ｂ    丸鋸刃
Ｂ１  丸鋸刃ガイド板あたり面
Ｃ    電動丸鋸固定台座
Ｃ１  位置決めガイド定規あたり面
Ｄ    加工材料
【図１】
2005343160.tif 000003
【図２】
2005343160.tif 000004
【図３】
2005343160.tif 000005
【図４】
2005343160.tif 000006
【図５】
2005343160.tif 000007
【図６】
2005343160.tif 000008
【図７】
2005343160.tif 000009